(57)【要約】【課題】モジュール化内、外冠構造を使用した可撤性義歯の施術方法、並びにそのモジュール化内、外冠構造と計測器を提供する。【解決手段】予め製造した内冠４０と計測器６０を歯科医師に提供し、歯科医師が天然支台歯を切削する判断の根拠とし、支台部１１の切削過程で必要とする正確な支台部１１を迅速且つ精密に完成できるようにし、ひいては修正のために増加する患者の再診回数をなくし、歯科医師の切削技術と技工所が内、外冠作製に費やす作業時間を削減すると同時に、歯科医師の切削技術の差や経験不足のために生じる不具合を根絶する。【選択図】  図１７
2006255209.tif 000002
【特許請求の範囲】
【請求項１】
モジュール化内、外冠構造を使用した可撤性義歯の施術方法であって、そのステップは、
ａ．人体の歯列に対応させてモジュール化した内冠を作製し、作製したモジュール化内冠に対応させてモジュール化外冠とモジュール化計測器を作製し、
ｂ．患者の病変した歯に応じて対応するモジュール化計測器を選択し、
ｃ．病変した歯の天然支台歯上に支台部を切削し、形成した支台部上にステップｂで選択したモジュール化計測器をかぶせることができるようになるまで切削し、
ｄ．ステップｃの天然支台歯の支台部の印象を採得し、
ｅ．ステップｂで選択したモジュール化計測器に対応するモジュール化内冠を選択し、
ｆ．ステップｅで選択したモジュール化内冠をステップｄで作製した印象模型の支台部上に装着固定し、印象模型上の歯ぎんの辺縁系上に基づいて該モジュール化内冠の細部を修正し、修正を経た該モジュール化内冠に基づいて該天然支台歯の歯ぎん辺縁形状に完全に一致したもう一つの内冠を作製し、
ｇ．ステップｅで選択したモジュール化内冠にマッチするモジュール化外冠を選択し、外部被覆を行って可撤性義歯の作製を完了し、
以上のステップを具えて成ることを特徴とするモジュール化内、外冠構造を使用した可撤性義歯の施術方法。
【請求項２】
可撤性義歯のモジュール化内冠構造は、人体の歯列に対応して製造し、且つモジュール化内冠は底部面、外周面及び頂部面を具え、該底部面は該頂部面の方向にくぼんでホールを設け、該外周面は上が狭く下が広い傾斜面とし、その底縁は該底部面の外周縁へ連続し、該頂部面の外周縁は該外周面の頂縁へ連続し、且つ中央に凸出して十字形状の挟持部を設けて成ることを特徴とする可撤性義歯のモジュール化内冠構造。  
【請求項３】
該頂部面上にホールと通じる通気孔を設けて成ることを特徴とする請求項２記載の可撤性義歯のモジュール化内冠構造。
【請求項４】
可撤性義歯のモジュール化外冠構造は、人体の歯列に基づいて製造したモジュール化内冠に対応させて製造し、且つモジュール化外冠は底部面、外周面及び頂部面を具え、該底部面から該頂部面方向に向かってくぼんだホールを設け、該ホールの垂直壁面にモジュール化内冠の外周面と同じ傾斜面を形成し、該外周面の底縁は該底部面の外周縁へ連続し、該頂部面の外周縁は該外周面の頂縁へ連続するようにして成ることを特徴とする可撤性義歯のモジュール化外冠構造。
【請求項５】
可撤性義歯を作製するモジュール化計測器は、人体の歯列に基づいて製造したモジュール化内冠に対応させて製造し、且つモジュール化計測器は底部面、外周面及び頂部面を具え、該底部面から該頂部面の方向に向かってくぼんだホールを設け、天然支台歯の支台部上に被せて配置することができるようにし、該外周面の底縁は該底部面の外周縁に連続し、該頂部面の外周縁は該外周面の頂縁へ連続し、且つその中央に接続して上向きに計測棒を設けて成ることを特徴とする可撤性義歯のモジュール化計測器。
【発明の詳細な説明】
【技術分野】
【０００１】
本発明は歯科医師が施術する義歯に関し、特にモジュール化内、外冠構造を使用した可撤性義歯の施術方法及びそのモジュール化内、外冠構造及び計測器に関する。
【背景技術】
【０００２】
図１から図４に示すように、歯科医師が患者の歯に施術する可撤性義歯は、天然支台歯１０と義歯Ｔとの間に金属材質で製造した内冠２０（図２に示す）を設け、その施術ステップは以下の通りである。
Ａ．天然支台歯１０の上段部を切削し、図２の符号１１に示す支台部１１を形成する。
Ｂ．この天然支台歯１０の支台部１１の印象を採得する。
Ｃ．支台部１１の印象模型外形に基づいて、支台部１１外周面と同じ形状の中空金属内冠２０を作製する。
Ｄ．内冠２０の外面の印象を採得する。
Ｅ．内冠２０の印象模型外形に基づき、内冠２０の該周面より略大きい外冠３０（図４に示す）と外冠３０を被覆する義歯Ｔを作製して完成する。
このなかで、支台部１１の垂直方向外周面２２と外冠３０の垂直方向内周面３１は両者とも同じ傾斜角を呈する。歯科医師が装着する操作の順序は、まず内冠２０の内周面２１に接着剤Ｃを注入し、続いて内部に接着剤Ｃを注入してある内冠２０を天然支台歯１０上段部の支台部１１上に被せ、加圧して両者を密着接合し、接着剤Ｃが凝固した後、外冠３０を具えた義歯Ｔを内冠２０の外周面２２上に被せて設置して可撤性義歯Ｔを完成する（図４に示す）。
【０００３】
しかし、この可撤性義歯Ｔは施術において以下のような多くの欠点がある。
1．図１に示すように、上述のステップＣとステップＥは、通常専門の技工所に委託して技工士が歯科医師に代わって行うが、技工士がいない場合は全て歯科医師が独立して作業を行う。ここで、ステップＡとステップＢで、歯科医師は先に「支台部の切削形成」と「支台部印象」の二つの作業を完了しなければならない。歯科医師が実際に支台部を切削形成する過程で、技工所に引き渡す印象模型が内冠を作製するのに使用できるかどうかは、普通切削経験の累積によってしか保証されない。更に技工所は引き渡された印象後の支台部に対して、その外周面の傾斜角が将来内冠と組み合わせた際に干渉が起こらないかどうか検査し、傾斜角を検査して干渉が起きるという結果の場合、歯科医師が切削形成した市台部の外周面の角度が正しくないことを意味し、技工所は診療所に戻して歯科医師が修正を行う。歯科医師は再度患者に来てもらい、支台部外周面の傾斜角を修正し、新たに印象を採得して技工所に引き渡す。よって歯科医師が支台部を切削する技術がよくなければ、前述の状況が繰り返され、歯科医師と技工所との間で何回もの修正作業を引き起こし、徒に患者の受診回数を増やすばかりか、歯科医師の切削の複雑さと技工所の作業負担も増加してしまう。
【０００４】
２．図５から図７に示すように、二本以上の支台歯で外冠３０´を共用するとき、歯科医師が各支台部１０ａと１０ｂを切削した後、各支台部の中心線が平行にならない現象がよくあり（図７の１０ａ´と１０ｂ´に示す）、これは将来外冠３０´がスムーズに支台部の内冠２０´上に装着できないという重大な欠陥を引き起こす。各支台部１０ａと１０ｂの中心線を平行に（図６に示す）して、二個の外冠３０´を含む義歯Ｔ´がスムーズに装着できる（図５に示す）ためには、余計な修正の作業が必要となり、困難とコストが増加していく。
【０００５】
３．図２と図４に示すように、現在技工所で内冠２０と外冠３０を作製するとき、必ず歯科医師が引き渡した印象模型に基づいて作製するが、外冠３０の内周面３１が内冠２０の外周面２２に緊密に装着されるように、技工所は細心の注意をはらって内冠２０の外周面２２を切削しなければならず、内冠２０の外周面２２の加工に費やされる時間は、作成作業時間全体の４０％以上を占める。技工所にとって、内冠２０の外周面２２の加工は非常に時間と手間のかかる作業である。
【特許文献１】特開２００４−３２１６４５号公報
【発明の開示】
【発明が解決しようとする課題】
【０００６】
本発明は、予め製造したモジュール化内冠、外冠及び計測器を提供し、歯科医師が患者に可撤性義歯を施術する過程で、迅速に精密に作製を完了できるようにし、特に公知技術の欠点を解決して、患者の修正のための数度にわたる受診をなくし、歯科医師と技工所両者の作業時間消耗を大幅に削減し、同時に歯科医師の切削技術の差や経験不足によって生じる不具合を一掃することを課題とする。
【課題を解決するための手段】
【０００７】
歯科医師が天然支台歯を切削形成する前に使用する計測器を提供する。この計測器の頂部面に凸出した計測棒を利用して、歯科医師が同一患部に二本以上の支台部を切削形成するときに、異なる規格の計測器を各支台部にそれぞれ被せて、各計測棒の間が平行か否かを観察できるようにし、平行を呈していないときは、修正時に各支台部の中心線が平行かどうかを判断するのに用いることができ、将来、内、外冠作製完了後、相互に組み合わせたときに干渉がおこって装着できない現象が起こらないことを確保できる。
【０００８】
モジュール化された内、外冠構造を提供する。予め金型で大量に作製した各種規格のモジュール化内冠、外冠によって、技工所は内冠外周面の傾斜角を切削する必要がなくなり、技巧所の内冠加工時間がなくなり、技工所は内冠作成作業の時間４０％のコストを削減できる。
【０００９】
すなわち、本発明は、以下のステップからなることを特徴とするモジュール化内、外冠構造を使用した可撤性義歯の施術方法である。
ａ．人体の歯列に対応させてモジュール化した内冠を作製し、作製したモジュール化内冠に対応させてモジュール化外冠とモジュール化計測器を作製し、
ｂ．患者の病変した歯に応じて対応するモジュール化計測器を選択し、
ｃ．病変した歯の天然支台歯上に支台部を切削し、形成した支台部上にステップｂで選択したモジュール化計測器をかぶせることができるようになるまで切削し、
ｄ．ステップｃの天然支台歯の支台部の印象を採得し、
ｅ．ステップｂで選択したモジュール化計測器に対応するモジュール化内冠を選択し、
ｆ．ステップｅで選択したモジュール化内冠をステップｄで作製した印象模型の支台部上に装着固定し、印象模型上の歯ぎんの辺縁系上に基づいて該モジュール化内冠の細部を修正し、修正を経た該モジュール化内冠に基づいて該天然支台歯の歯ぎん辺縁形状に完全に一致したもう一つの内冠を作製し、
ｇ．ステップｅで選択したモジュール化内冠にマッチするモジュール化外冠を選択し、外部被覆を行って可撤性義歯の作製を完了する。
【００１０】
また、本発明の可撤性義歯のモジュール化内冠構造は、人体の歯列に対応して製造し、且つモジュール化内冠は底部面、外周面及び頂部面を具え、該底部面は該頂部面の方向にくぼんでホールを設け、該外周面は上が狭く下が広い傾斜面とし、その底縁は該底部面の外周縁へ連続し、該頂部面の外周縁は該外周面の頂縁へ連続し、且つ中央に凸出して十字形状の挟持部を設けて成ることを特徴とする。  
該頂部面上にホールと通じる通気孔を設けて成ることが好ましい。
【００１１】
本発明の可撤性義歯のモジュール化外冠構造は、人体の歯列に基づいて製造したモジュール化内冠に対応させて製造し、且つモジュール化外冠は底部面、外周面及び頂部面を具え、該底部面から該頂部面方向に向かってくぼんだホールを設け、該ホールの垂直壁面にモジュール化内冠の外周面と同じ傾斜面を形成し、該外周面の底縁は該底部面の外周縁へ連続し、該頂部面の外周縁は該外周面の頂縁へ連続するようにして成ることを特徴とする。
【００１２】
本発明の可撤性義歯を作製するモジュール化計測器は、人体の歯列に基づいて製造したモジュール化内冠に対応させて製造し、且つモジュール化計測器は底部面、外周面及び頂部面を具え、該底部面から該頂部面の方向に向かってくぼんだホールを設け、天然支台歯の支台部上に被せて配置することができるようにし、該外周面の底縁は該底部面の外周縁に連続し、該頂部面の外周縁は該外周面の頂縁へ連続し、且つその中央に接続して上向きに計測棒を設けて成ることを特徴とする。
【発明の効果】
【００１３】
図１３から図２０に示すように、本発明のモジュール化内、外冠構造を使用した可撤性義歯の施術方法は以下の長所がある。
１．歯科医師が天然支台歯１０の上段部を歯台部１１に形成するとき、歯科医師はモジュール化計測器６０でどれだけ切削すればよいかを判断でき、歯科医師が切削する過程で速くしかも精確に必要な支台部１１を完成することができるため、患者が再診して修正する手間が省ける。
更に、技工所が共同して作業する国や地域であれば、歯科医師と技工所の両者間で交互に修正する作業時間をなくすことができ、同時に歯科医師の切削技術の差や経験不足による不具合も、本発明によって根絶できる。
２．同一患部に二本以上の支台歯１０を切削するとき、歯科医師は計測器６０を支台歯１０の支台部１１に装着して、計測器６０上の計測棒６５が平行でそろっているかどうか観察することによって、各支台部１１の中心線が平行か否か判断できるため、将来金属材質の内冠４０´と金属外冠５０の製作が終わったときに、相互の干渉が決して起こらないことを確保できる。
３．挟持装置７０を利用して、可塑性材料の内冠４０と顎堤が接続する相対位置を取得し、これにより支台部１１と歯ぎんに完全に符合する金属材質の内冠４０´を作製でき、全過程において内冠４０´の外周面を再切削する必要がないため、内冠４０´と外冠５０の製作時間を大幅に削減できる。
４．モジュール化外冠５０は対応するモジュール化内冠４０に合わせて予め大量に生産するもので、公知技術の方法で内冠２０が完成してから印象模型に基づいて作製しなければならないのとは全く異なるため、不必要な二回目の印象プロセスを完全に省略し、経済効果が高い。
【発明を実施するための最良の形態】
【００１４】
図８及び図９に示すように、本発明のモジュール化内冠４０構造は、人体口腔上顎及び下顎の３２本の歯列の形状と寸法に基づいて予め金型を作り、且つ可塑性材料で一体成型でこの３２本の歯列より略小さいモジュール化内冠４０を製造することによって、歯科医師が患者の歯の位置に応じて対応するモジュール化内冠４０を選択できるようにする。
【００１５】
本発明のモジュール化内冠４０は底部面４１、外周面４２及び頂部面４３を具える。底部面４１から頂部面４３の方向に向かってくぼんだホール４４を設け、天然支台歯の支台部上（図中未表示）に被せて配置できるようにする。外周面４２は上が狭く下が広い傾斜面とし、その底縁は底部面４１の外周縁４１１に連なる。頂部面４３の外周縁４３１は該周面４２の頂縁に連なり、頂部面４３の中央に凸出して十字形状の挟持部４５を設け、また頂部面４３にホール４４に通じる通気孔４６を設ける。
【００１６】
図１０に示すように、本発明のモジュール化外冠５０は、対応するモジュール化内冠４０にマッチさせて使用し、よってモジュール化外冠５０の形状及び寸法はモジュール化内冠４０の形式に基づきこれに対応させて製造し、金属を採用して製造することができ、またはその他の使用可能な材質で作製することができる。
【００１７】
本発明のモジュール化外冠５０は底部面５１、外周面５２及び頂部面５３を具える。底部面５１から頂部面５２の方向に向かってくぼんだホール５４を設け、ホール５４の垂直方向壁面５４１は内冠４０の外周面４２と同じ傾斜面を具える。外周面５２の底縁は底部面５１の外周縁に連なり、頂部面５３の外周縁は外周面５２の頂縁に連なる。
【００１８】
図１１に示すように、本発明の計測器６０の形状と寸法は、モジュール化内冠４０の形状と寸法に対応するように設け、よってモジュール化計測器６０の形状と寸法はモジュール化内冠４０の形式に基づいて対応させて製造する。よって、歯科医師が天然支台歯の支台部を切削するとき、歯科医師は切削中の天然支台歯の支台部が精密正確であるかどうかを判断するのに用いることができる。計測器６０は金属材質またはその他の使用可能な材質で製造することができ、各計測器６０は底部面６１、外周面６２及び頂部面６３を具える。底部面６１から頂部面６２の方向に向かってくぼんでホール６４を設け、天然支台歯の支台部上（図中未表示）に被せて配置することができるようにする。外周面６２の底縁は底部面６１の外周縁６１１に連なり、頂部面６３の外周縁は外周面６２の頂縁に連なり、頂部面６３の中央に接続して上向きに計測棒６５を設ける。
【００１９】
図１２に示すように、技工所での加工作業に一般に使用される挟持装置７０は、垂直方向に上下に位置移動できるグリップ７１と水平方向に一移動できるパネル７２を具え、グリップ７１は研磨ヘッドの挟持に用い、パネル７２は歯科医師が技工所に引き渡した印象模型を配置固定するのに用いる。本発明の加工過程では、この公知の挟持装置７０を使用して操作する。ただしこの挟持装置７０のメカニズムは設計が多様であり、前述のグリップ７１とパネル７２を具えていればよい。これは本発明の請求範囲ではないから詳述しない。
【００２０】
図１３から図２０に示すように、本発明が示すモジュール化内、外冠構造を使用した可撤性義歯の施術方法は、以下のステップを具えて成る。
ａ．患者の病変した歯に応じて、図１４に示すように対応するモジュール化計測器６０を選択する。
ｂ．病変した歯である天然支台歯１０を支台部１１に切削する。図１５に示すように、モジュール化計測器６０のホール６４が形成した支台部１１に適合しはまるようになるまで切削する。
ｃ．図１６に示すように、天然支台歯１０の支台部１１の印象模型Ｍを採得する。
ｄ．モジュール化計測器６０に対応したモジュール化内冠４０を選び、図１７に示すように、モジュール化内冠４０の挟持部４５を挟持装置７０のグリップ７１に固定し、ステップｃの印象模型Ｍを挟持装置７０のパネル７２上に固定する。
ｅ．グリップ７１の上下移動を利用して、内冠４０を印象模型Ｍの支台部１１´上に装着すると、モジュール化内冠４０と顎堤の正確な接続位置がわかる。更に印象模型Ｍの歯ぎん辺縁の形状に基づき、図１８に示すように、内冠４０の辺縁４０１を修正した後、図１９に示すように、天然支台歯１０の歯ぎん辺縁形状に完全に合ったもう一つの内冠４０´を作製する。
ｆ．図２０に示すように、ステップｄで選んだモジュール化内冠４０にマッチするモジュール化外冠５０を選び、外部被覆を行って義歯ｔを完成する。これで可撤性義歯の作製が完了する。
【００２１】
図２１に示すように、作製した内冠４０´を最後に歯科医師が接着剤Cで患者の天然支台歯１０の支台部１１に粘着固定した後、モジュール化外冠５０を具えた義歯ｔを内冠４０´に装着すると、患者への可撤性義歯施術が完了する。
【図面の簡単な説明】
【００２２】
【図１】公知の可撤性義歯の製作フロー図である。
【図２】公知の可撤性義歯の立体分解図である。
【図３】公知の可撤性義歯の立体実装図である。
【図４】公知の可撤性義歯の実装断面図である。
【図５】二本の可撤性義歯並列の実装断面図である。
【図６】二本の可撤性義歯の分解断面図の１である。
【図７】二本の可撤性義歯の分解断面図の２である。
【図８】本発明の内冠の立体略図である。
【図９】本発明の内冠の断面略図である。
【図１０】本発明の外冠の断面略図である。
【図１１】本発明の計測器の断面略図である。
【図１２】現在技工所で使用している挟持装置の略図である。
【図１３】本発明の施術フロー図である。
【図１４】本発明のステップａで選んだ計測器の断面図である。
【図１５】本発明のステップｂの計測器と支台部の対応略図である。
【図１６】本発明のステップｃの支台部の印象模型の見取図である。
【図１７】本発明のステップｄの内冠の挟持部を挟持装置のグリップに固定し、印象模型を挟持装置のパネルに固定した略図である。
【図１８】本発明のステップｅの内冠の辺縁修正の略図である。
【図１９】本発明のステップｅの金属材質内冠完成の断面図である。
【図２０】本発明のステップｆの金属外冠の外部を被覆して義歯を完成した略図である。
【図２１】本発明の可撤性義歯を天然支台歯の支台部上に装着した断面略図である。
【符号の説明】
【００２３】
１０、１０ａ、１０ｂ、１０ｂ´  天然支台歯
１１、１１´  支台部
２０、２０´、４０、４０´  内冠
２１、３１  内周面
２２、４２、５２、６２  外周面
３０、３０´、５０  外冠
４１、５１、６１  底部面
４３、５３、６３  頂部面
４４、５４、６４  ホール
４５  挟持部
４６  通気孔
６０  計測器
６５  計測棒
７０  挟持装置
７１  グリップ
７２  パネル
４０１  辺縁
４１１、４３１、６１１  外周縁
５４１  垂直方向壁面
Ｃ  接着剤
Ｍ  印象模型
ｔ、Ｔ、Ｔ´  義歯
【図１】
2006255209.tif 000003
【図２】
2006255209.tif 000004
【図３】
2006255209.tif 000005
【図４】
2006255209.tif 000006
【図５】
2006255209.tif 000007
【図６】
2006255209.tif 000008
【図７】
2006255209.tif 000009
【図８】
2006255209.tif 000010
【図９】
2006255209.tif 000011
【図１０】
2006255209.tif 000012
【図１１】
2006255209.tif 000013
【図１２】
2006255209.tif 000014
【図１３】
2006255209.tif 000015
【図１４】
2006255209.tif 000016
【図１５】
2006255209.tif 000017
【図１６】
2006255209.tif 000018
【図１７】
2006255209.tif 000019
【図１８】
2006255209.tif 000020
【図１９】
2006255209.tif 000021
【図２０】
2006255209.tif 000022
【図２１】
2006255209.tif 000023